(57)【特許請求の範囲】
【請求項１】
躯体に方立を取り付けたならば、これら方立間に無目を取り付けて開口枠を形成した後、カーテンウォールパネルを取り付ける手順によって壁面を構築するとともに、前記方立を相対的に室内側に配置して外部に露出させないようにし、相対的に縦目地ラインを目立たなくした横強調型カーテンウォールにおいて、
前記方立の室外側面に、部材長手方向に沿って連続する方立突出片を形成するとともに、無目接続部では前記方立突出片の壁面と前記無目の端面との間に空間を空けた状態で両側の無目をそれぞれ支持し、
縦目地ラインに沿って適宜の間隔で存在する無目接続部を非排水部と排水部とに分け、前記非排水部の無目接続部では前記空間にシール材を充填することなく縦方向に前記空間に連続させ、前記方立突出片を導水ガイドとして浸入水を下方側に落下させるようにし、前記排水部の無目接続部では前記空間にシール材を充填することによって縦方向の空間を封鎖し、該封鎖部において浸入水を外部に排出するようにしたことを特徴とするカーテンウォールの水密構造。
【請求項２】
前記方立突出片の両側にそれぞれ係止部を設け、前記方立と係止部とに跨る縦側枠を配設することにより、前記係止部より室外側に前記係止部と縦側枠とによって仕切られた止水用一次空間を形成するとともに、前記係止部よりも室内側の前記空間に止水用二次空間を形成してある請求項１記載のカーテンウォールの水密構造。
【発明の詳細な説明】
【０００１】
【発明の属する技術分野】
本発明は、横強調カーテンウォールにおいて、二次止水構造の簡素化を図ったカーテンウォールの水密構造に関する。
【０００２】
【従来の技術】
従来より、カーテンウォール工法によって建物の外壁を構築する場合、予め四周を枠材によって枠組みしたカーテンウォールユニットを順に取り付ける、所謂ユニット方式と、施工場所において躯体に方立を取り付けたならば、これら方立間に無目を取り付けて開口枠を形成し、各開口枠にカーテンウォールパネルを取り付ける手順による、所謂ノックダウン方式とがある。
【０００３】
また、デザインの多様化、趣味・趣向性の多様化に伴ってカーテンウォール形式も種々のものが提案されるようになり、例えば、縦ラインを強調した縦強調型カーテンウォールや、水平ラインを強調した横強調型カーテンウォールなどのものがそれぞれの構造型式として提案されている。
【０００４】
具体的に前記ノックダウン方式によって横強調カーテンウォールを構築する場合は、図８および図９に示されるように、水平方向に所定の間隔をおいて上下方向に沿って方立５０，５０…を固定した後、無目ブラケット５２及び連結ボルト５３を介して方立５０，５０間に上下方向に所定間隔で無目５１，５１…を架け渡して開口枠を形成し、各開口枠にガラスＧを嵌め込むようにしている。
【０００５】
【発明が解決しようとする課題】
前記横強調型カーテンウォール構造においては、縦方向ラインを目立たなくするため、例えば図９に示されるように、方立形式としては室内側に位置するバックマリオン形式とし、この方立５０の室外面側に別途、上下無目５１，５１間に縦枠５４をボルト５５によって取り付け、ガラスＧ、Ｇの上下縁はシール５６またはビード５７によって支持され、かつガラスＧの左右縁部においては、図９に示されるように、ガラスＧ、Ｇの側端面を若干離間して対面させ、この離間部分をシール５８によって塞ぐようにしている。
【０００６】
従来、前記ガラスＧの周囲等に施したシール５６，５８を越えて室内側に浸入する水があった場合、無目位置では縦方向に排水経路が連続していないため、各無目位置毎に前記浸入水を排出するようにしていた。
【０００７】
具体的には、前記無目５１，５１の接続部Ｍでは、図１０に示されるように、無目５１，５１間の空間部分にバックアップ材５９，５９を設置するとともに、シール材６０を施し、さらにその上面側に第１キャッチパン６１（図１１参照）を配設し、基本的にここで浸入水を室外側に排出するとともに、前記バックアップ材５９の裏面側に第２キャッチパン６２を配設し、ここで排出されない浸入水を下側に流下させるようにしている。このように、従来の横強調型カーテンウォールの無目接続部においては、各無目の接続部毎に浸入水の排出を行う構造（二次排水部構造）となっているため、前記無目接続部における水密構造が複雑となり、施工に手間と時間が掛かるとともに、コスト高を招く原因となっていた。
【０００８】
そこで本発明の主たる課題は、方立を相対的に室内側に配置して外部に露出させないようにし、相対的に縦目地ラインを目立たなくした横強調型カーテンウォールにおいて、無目接続部における二次排水部の施工を任意箇所とすることができ、かつ無目接続部における水密構造を簡素化した横強調型カーテンウォールを提供することにある。
【０００９】
【課題を解決するための手段】
前記課題を解決するために請求項１に係る本発明として、躯体に方立を取り付けたならば、これら方立間に無目を取り付けて開口枠を形成した後、カーテンウォールパネルを取り付ける手順によって壁面を構築するとともに、前記方立を相対的に室内側に配置して外部に露出させないようにし、相対的に縦目地ラインを目立たなくした横強調型カーテンウォールにおいて、
前記方立の室外側面に、部材長手方向に沿って連続する方立突出片を形成するとともに、無目接続部では前記方立突出片の壁面と前記無目の端面との間に空間を空けた状態で両側の無目をそれぞれ支持し、
縦目地ラインに沿って適宜の間隔で存在する無目接続部を非排水部と排水部とに分け、前記非排水部の無目接続部では前記空間にシール材を充填することなく縦方向に前記空間に連続させ、前記方立突出片を導水ガイドとして浸入水を下方側に落下させるようにし、前記排水部の無目接続部では前記空間にシール材を充填することによって縦方向の空間を封鎖し、該封鎖部において浸入水を外部に排出するようにしたことを特徴とするカーテンウォールの水密構造が提供される。
【００１０】
上記請求項１記載の発明においては、基本的に方立がバックマリオンとされる横強調型カーテンウォールであっても、方立の室外側面に縦方向に連続する方立突出片を設けるようにしたため、無目接続部であっても上下方向に連続する排水経路を形成できるようになる。従って、非排水無目部では前記方立突出片を導水ガイドとして浸入水を落下させ、任意の無目接続部において、前記空間を封鎖することにより排水受け部とし、浸入水を外部に排出できるようになる。また、本発明では、従来無目接続部毎に設けていたキャッチパンやシールなどを省略することができ、施工の効率化およびコスト低廉化に資するものとなる。
【００１１】
請求項２に係る本発明として、前記方立突出片の両側にそれぞれ係止部を設け、前記方立と係止部とに跨る縦側枠を配設することにより、前記係止部より室外側に前記係止部と縦側枠とによって仕切られた止水用一次空間を形成するとともに、前記係止部よりも室内側の前記空間に止水用二次空間を形成してある請求項１記載のカーテンウォールの水密構造が提供される。
【００１２】
【発明の実施の形態】
以下、本発明の実施の形態について図面を参照しながら詳述する。
図１は本発明に係るカーテンウォールの正面図、図２は図１のII−II線矢視図、図３は非排水部無目接続部の拡大縦断面図、図４は非排水部無目接続部の拡大横断面図、図５は排水部無目接続部の縦断面図、図６は排水部無目接続部の拡大横断面図である。
【００１３】
本カーテンウォール１は、建物躯体（床）の端部に固定された方立支持金具によって、水平方向に所定の間隔をおいて上下方向に沿って方立２，２…を固定した後、この方立２，２間に上下方向に所定間隔で無目３，３…を架け渡して開口枠を形成し、各開口枠にガラスＧを嵌め込んだ構造となっている。
【００１４】
前記方立２は、詳細には図４に示されるように、中空部方形断面の方立本体２Ａと、この方立本体２Ａの室外側面に、部材長手方向に沿って連続的に形成された方立突出片２Ｂを一体的に有する形材であり、相対的に室内側に配置され外部には露出しないようになっている。
【００１５】
前記方立本体２Ａの室外側側面部分には凹部２ａが形成されるとともに、前記方立突出片２Ｂの先端に断面Ｌ字状の係止部２ｂが形成され、これら凹部２ａ、係止部２ｂ間に跨って縦側枠５が取り付けられている。この縦側枠５は室内側の縦押縁を兼ねるものである。
【００１６】
一方、無目３は詳細には図３に示されるように、中空状の無目本体３Ａの室外側面から外方に突出する水平延在片３ｂが形成されるとともに、この水平延在片３ｂの先端から上方側に屈曲する起立片３ｃによってガラス下縁側嵌合溝ＭＤが形され、かつ前記水平延在片３ｂの先端から下方側に屈曲する垂下片３ｄによってガラス上縁側嵌合溝ＭＵが形成されている。また、前記起立片３ｃ及び垂下片３ｄからなる見付け面には掛止片３ｅ、３ｅが形成され、この掛止片３ｅ、３ｅに無目カバー７がビス１０によって取り付けられている。
【００１７】
前記無目３を方立２に取り付けるには、前記無目本体３Ａの室内面側に形成されたポケット溝３ｆに頭部を嵌合させた取付けボルト１２、ナット１３により断面Ｌ字状の第１無目ブラケット１４を固定するとともに、この第１無目ブラケット１４の他方側フランジを方立２に対してリベット１５，１５によって固定するようにする。また、前記方立２の方立突出片２Ｂの両面に夫々固定された第２無目ブラケット８によって無目３の下面側を支持するようにしている。
【００１８】
前記水平方向に隣接する無目３，３の境界部、すなわち無目接続部では、前記方立突出片２Ｂの壁面と前記無目３の端面との間に空間Ｋを空けた状態で両側の無目３，３がそれぞれ支持されるようになっている。また、方立２の室外側面には無目３の室内面、縦側枠５の室内面とが当接するようになっているが、高い気密・水密性能が要求される場合は、同図に示すように、スポンジ、定形シール材等の気水密材１６が配設され、後述のように、仮に前記空間Ｋ内に浸入した水があっても室内に入り込まないようになっている。
【００１９】
前記空間Ｋは、前述したように、縦側枠５が前記方立突出片２Ｂの係止部２ｂに係止することにより、該係止部２ｂより室外側に前記係止部２ｂと縦側枠５とによって仕切られた止水用一次空間Ｓ１が形成されているとともに、前記係止部２ｂよりも室内側の前記空間Ｋに止水用二次空間Ｓ２が形成されている。これら止水用一次空間Ｓ１および止水用二次空間Ｓ２については更に後述する。
【００２０】
一方、ガラスＧは、上下縁においては図３に示されるように、ガラス面を跨いでガラス上下縁嵌合溝ＭＤ、ＭＵの室外側および室内側に夫々バックアップ材２０及びシール２１、またはビード材２２が施工され、ガラスＧが支持されている。また、ガラスＧの左右縁においては、図４に示されるように、ガラスＧ、Ｇの側端面が若干離間して対面し、この離間部に一次シール１７が充填され隙間が封鎖されている。
【００２１】
本発明では、前記ガラスＧの周囲に施工した一次シール２１，１７が切れ、ガラスＧの室内側に雨水等が浸入した場合は、所定の無目３位置から外部に排出するようになっている。
【００２２】
以下、この点について詳述すると、無目３は図１に示されるように、各フロア間に複数、図示例では３つの中間無目３，３…が存在するが、これら各無目３部においてそれぞれ浸入水の排水を行うのでなく、縦目地ラインに沿って適宜の間隔で存在する無目接続部を任意に非排水部と排水部とに分けるようにする。図示例では、各階毎に１箇所の無目位置（図中に▼表示）を排水部とし、他の無目接続部を非排水部としている。
【００２３】
そして、前記非排水部の無目接続部では、図４に示されるように、前記空間Ｋにシール材を充填することなく縦方向に前記空間Ｋを連続させ、前記方立突出片２Ｂを導水ガイドとして浸入水を下方側に落下させるようにする。また、前記排水部の無目接続部では、図６に示されるように、前記空間Ｋにシール材を充填することによって縦方向空間を封鎖し、浸入水を外部に排出するようにする。前記シール材による封鎖は、詳細には図７に示されるように、無目３，３間の接続部に図示される形状のバックアップ材１８を充填し、このバックアップ材１８の上面側に不定形シール材１９を施工し、または定形シールにより空間Ｋを封鎖するようにする。
【００２４】
従って、仮に一次シール２１，１７にシール切れが起こり、雨水がガラスＧを越えて室内側（一次止水空間Ｓ１）に浸入したとしても、前記方立突出片２Ｂの係止部２ｂと縦側枠５とによる仕切り面が一次的に浸入水を堰き止め、これ以上室内側に浸入しないようにする。堰き止められた浸入水は、前記係止部２ｂと縦側枠５とによって形成された仕切り壁部を伝わって下側に落下する。そして、非排水部無目３の接続部では、前記縦側枠５が途切れることになるが、前記方立突出片２Ｂが縦方向に連続しているため、図３に鎖線で示すように、浸入水は前記方立突出片２Ｂを導水ガイドとして伝わりながら落下することができる。
【００２５】
また、前記浸入水が前記方立突出片２Ｂの係止部２ｂと縦側枠５とによる仕切り壁を越えてさらに室内側（二次止水空間Ｓ２）に浸入したとしても、方立２の室外面と、縦側枠５及び無目３とが接触し、かつ方立２の平断面で屈曲している各隅部で集水され、浸入水は壁面を落下する。より高い気密・水密性能が要求される場合は、図示のように気水密材１６を長手方向に沿って配設すれば、これより室内側に浸入することはなく、図３に鎖線で示すように、前記方立突出片２Ｂを伝わって落下する。
【００２６】
前記非排水部の無目接続部を通過した浸入水は、排水部の無目接続部に至ると、一次止水空間Ｓ１及び二次止水空間Ｓ２は、バックアップ材１８及び不定形シール材１９によって封鎖されているため、ここで浸入水は受け止められ、図５及び図６に鎖線で示されるように、一旦ガラスＧの室内側において無目３の長手方向に導流された後、無目３に形成された排水孔を通り外部に排出される。
【００２７】
【発明の効果】
以上詳説のとおり本発明によれば、方立を相対的に室内側に配置して外部に露出させないようにし、相対的に縦目地ラインを目立たなくした横強調カーテンウォールにおいて、無目接続部における二次排水部の施工を任意箇所とすることができ、かつ無目接続部における水密構造を簡素化できるようになる。
【図面の簡単な説明】
【図１】本発明に係るカーテンウォールの正面図である。
【図２】図１のII−II線矢視図である。
【図３】非排水部無目接続部の拡大縦断面図である。
【図４】非排水部無目接続部の拡大横断面図（図２のIV−IV線矢視図）である。
【図５】排水部無目接続部の拡大縦断面図である。
【図６】排水部無目接続部の拡大横断面図（図２のVI−VI線矢視図）である。
【図７】排水部無目接続部におけるバックアップ材１８及び不定形シール材１９の設置要領を示す、(A)は平面図、(B)は縦断面図である。
【図８】従来の横強調型カーテンウォールの縦断面図である。
【図９】その横断面図である。
【図１０】無目接続部の縦断面図である。
【図１１】第１キャッチパンの設置要領を示す斜視図である。
【符号の説明】
１…カーテンウォール、２…方立、２Ａ…方立本体、２Ｂ…方立突出片、２ｂ…係止部、３…無目、５…縦側枠、Ｋ…空間部、Ｓ１…一次止水空間、Ｓ２…二次止水空間、Ｇ…ガラス
【図１】
0003897243.tif 000002
【図２】
0003897243.tif 000003
【図３】
0003897243.tif 000004
【図４】
0003897243.tif 000005
【図５】
0003897243.tif 000006
【図６】
0003897243.tif 000007
【図７】
0003897243.tif 000008
【図８】
0003897243.tif 000009
【図９】
0003897243.tif 000010
【図１０】
0003897243.tif 000011
【図１１】
0003897243.tif 000012